(57)【要約】【課題】手摺りの取付ブラケット部を壁面に対して容易に取付け、取外しできると共に、しっかりとした取付け状態を維持できるようにする。【解決手段】壁面１に対して、壁面１に固定された固定側部材２０には、その左右一対の側壁部２２間において、クランプレバー２４が保持ピン２３を中心として揺動自在に保持され、かつ板ばね部材２５が固定されている。クランプレバー２４のうち保持ピン２３付近が、偏心カム部２４ｂ（２７）とされている。クランプレバー２４の揺動に応じて、板ばね部材２５が、固定側部材２０の基板部２１に接近、離間される。クランプレバー２４をアンクランプ位置とした状態で、基板部２１と板ばね部材２５との間の取付空間Ｋに、手摺り３の取付ブラケット部４１が挿入される。この挿入状態でクランプレバー２４をクランプ位置とすることにより、取付ブラケット部４１が、板ばね部材２５を介して基板部２１に強く圧着される。【選択図】　図８
2004143674.tif 000002
【特許請求の範囲】
【請求項１】
壁面に対して手摺りを着脱自在に取付けるための手摺りの取付構造であって、
壁面に固定され、手摺りの取付ブラケット部が抜き差しされる取付空間を画成する固定側部材と、
前記固定側部材に揺動可能に保持され、揺動に応じて、前記取付空間の開口隙間を小さくするクランプ位置と該取付空間の開口隙間を大きくするアンクランプ位置とを選択的にとり得るようにされたクランプレバーと、
を備え、
前記クランプレバーが前記アンクランプ位置にあるときは、開口隙間が大きくされた前記該取付空間に対して前記取付ブラケット部の挿入、引き抜きが可能とされ、
前記取付空間に前記取付ブラケット部を挿入した状態で前記クランプレバーを前記クランプ位置にすることにより、該取付空間の開口隙間が小さくされて、該取付ブラケット部が該クランプレバーによってクランプされて該取付空間からの抜けが規制される、
ことを特徴とする手摺りの取付構造。
【請求項２】
請求項１において、
前記固定側部材は、壁面に沿う基板部を有し、
前記固定側部材には、前記基板部に対向すると共に該基板部と協働して前記取付空間を画成する中間部材が保持され、
前記クランプレバーは、前記中間部材を挟んで前記基板部とは反対側に位置されて、前記クランプ位置にあるときは前記中間部材を前記基板部に向けて押圧変位させるように設定されている、
ことを特徴とする手摺りの取付構造。
【請求項３】
請求項２において、
前記中間部材が、板ばね部材とされて、その基端部が前記固定側部材に固定されると共に先端部が自由端部とされて、該板ばね部材の自由端部側から前記取付ブラケット部が抜き差しされるようにされており、
前記板ばね部材は、前記基端部側から自由端部側に向かうにつれて、前記基板部に徐々に接近するように傾斜して伸びており、
前記クランプレバーを前記クランプ位置にしたときに、該クランプレバーが前記板ばね部材の自由端部と基端部との間の位置を押圧して、該板ばね部材の自由端部が前記取付空間に挿入されている前記取付ブラケット部を前記基板部に向けて押圧するようにされている、
ことを特徴とする手摺りの取付構造。
【請求項４】
請求項３において、
前記板ばね部材には、前記クランプレバーが前記クランプ位置とされたときに、前記取付ブラケット部に形成されている取付孔に挿入される係止用突起部が形成されている、
ことを特徴とする手摺りの取付構造。
【請求項５】
請求項３において、
前記板ばね部材には、その基端部付近において、前記基板部と所定間隙を有するように位置決め用突起部が形成されており、
前記取付空間に前記取付ブラケット部を挿入した状態において、前記位置決め用突起部と前記基板部との間に該取付ブラケット部がほぼがたつきなく挿入された状態とされる、
ことを特徴とする手摺りの取付構造。
【請求項６】
請求項３において、
前記板ばね部材が、前記固定側部材に対して、前記取付ブラケット部の前記取付空間への挿入、抜き出し方向において取付位置が調整可能とされている、ことを特徴とする手摺りの取付構造。
【請求項７】
請求項２において、
前記中間部材として、前記クランプレバーからの押圧力を受ける荷重受け部材と、該クランプレバーからの押圧力を該荷重受け部材を介して受ける板ばね部材と、該荷重受け部材と該板ばね部材との間に介在された弾性変形可能な緩衝部材とを有し、
前記荷重受け部材には、前記クランプレバーが前記クランプ位置とされたときに、前記取付ブラケット部に形成されている取付孔に挿入される係止用突起部が形成されており、
前記荷重受け部材は、前記板ばね部材によって、前記取付空間の開口隙間を大きくする方向に付勢されている、
ことを特徴とする手摺りの取付構造。
【請求項８】
請求項３ないし請求項７のいずれか１項において、
前記クランプレバーは、前記クランプ位置にあるときに、該クランプ位置を維持する方向の反力を前記板ばね部材から受けるように設定されている、ことを特徴とする手摺りの取付構造。
【請求項９】
請求項１ないし請求項８のいずれか１項において、
前記固定側部材は、壁面に固定される基板部の他に、該基板部から伸びる左右一対の側壁部を有し、
前記クランプレバーは、前記左右一対の側壁部の間に配置された状態で、該左右一対の側壁部によって揺動自在に保持されており、
前記クランプレバーは、その揺動中心付近がクランプ用の偏心カム部として形成されると共に、その揺動中心から大きく離れた位置にまで長く伸びる操作部を有し、
前記アンクランプ位置では、前記クランプレバーの前記操作部が、前記基板部に対して大きな角度をなす位置とされて前記左右一対の側壁部から大きく外方へ突出した状態とされ、
前記クランプ位置では、前記クランプレバーの前記操作部が前記基板部に対してほぼ平行に伸びる位置とされる、
ことを特徴とする手摺りの取付構造。
【発明の詳細な説明】
【０００１】
【発明の属する技術分野】
本発明は手摺りを壁面に対して着脱自在に取付けるための手摺りの取付構造に関するものである。
【０００２】
【従来の技術】
手摺りにおいては、笠木と笠木に一体化された取付ブラケット部とを有して、取付ブラケット部を壁面に固定して使用される。この取付ブラケット部の壁面への固定は、通常、壁面に植立された固定ボルトを取付ブラケット部に形成された取付孔に挿入した状態で、固定ボルトに螺合された固定ナットを締め付けることにより行われ、手摺りを頻繁に取外すということは特に意図しない固定手法となっている。
【０００３】
ところで、壁面の途中には各種の扉が設けられることが多い。例えば、収納扉、電気やガス関係の等の点検用扉、消火栓ボックスの扉等が壁面に設けられることが多い。このような扉を跨いて手摺りを連続して配設する場合、そのままでは手摺りが邪魔となって扉の開閉が不可能になる。
【０００４】
このため、手摺りのうち扉を跨いでいる部分を、壁面から着脱自在にすることが考えられる。この場合、手摺りの取付ブラケット部を固定している固定ナットを蝶ナットに代えて、取付ブラケット部を壁面に対して着脱することも考えられる。しかしながら、この場合は、蝶ナットを何回も回転操作させる必要があり、しかも回転工具を利用して締め付けを行う必要や（取付け時）、逆に緩めを行う必要があり（取外し時）、手摺りの取付、取外しの作業性の点で問題がある。これに加えて、手摺りの取付け、取外しを繰り返すことによって、蝶ナットが取付ブラケット部の表面を何回もこすることになり、取付ブラケット部の板面を損傷させる等の原因ともなり、採用しがたいものとなる。
【０００５】
手摺りの取付ブラケット部を壁面から容易に取付け、取外しできるようにしたものが、特許文献１に開示されている。この特許文献１には、壁面に対して、上方に向けて開口された取付空間を有する固定側部材を固定しておく一方、この固定側部材の取付空間に対して、手摺りの取付ブラケット部を上方から挿入するものが開示されている。とりわけ、上記取付空間を、下方に向かうにつれて徐々に先細なとなるように形成する一方、取付ブラケット部も下方に向かうにつれて徐々に先細となるように形成して、取付ブラケット部を取付空間にきつく挿入することにより、くさび機能を利用した摩擦係合による取付けを行うことも開示されている。
【０００６】
一方、手摺りの取付構造とは無関係ではあるが、特許文献２〜特許文献４に示すように、クランプレバーを利用して、各種の物品を挟持するクランプ機構が知られている。すなわち、物品が挿入される挿入空間の開口隙間の大きさをクランプレバーで変更して、クランプレバーをアンクランプ位置にすることによって開口隙間が大きくさえた挿入空間に物品を位置させ、クランプレバーをクランプ位置とすることによってこの開口隙間を小さくして物品をクランプするものとなっている。このように、クランプレバーを利用することにより、物品のしっかりとした挟持とその解除とをワンタッチで容易に行うことが可能となる。
【０００７】
【特許文献１】
特開平１０−１３１４５２号公報
【特許文献２】
実公昭４４−１１５７号公報
【特許文献３】
特公昭６１−３９５２４号公報
【特許文献４】
特許第３１４３４３２号公報
【０００８】
【発明が解決しようとする課題】
前述したように、特許文献１に記載のものでは、手摺りの取付ブラケット部を壁面に対して容易に取付け、取外しできるという点では優れているものである。しかしながら、取付ブラケット部の壁面へのしっかりとした取付けという点では問題が残る。特に、手摺りには種々の方向からの荷重が加わるので、取付ブラケット部の固定側部材への挿入方向における摩擦係合を利用した固定機能のみでは、摩擦係合が容易に解除されてしまって、手摺りが早期にぐらついた状態になってしまうおそれがある。
【０００９】
本発明は以上のような事情を勘案してなされたもので、その目的は、手摺りの取付ブラケット部を壁面に対して容易に取付け、取外しできると共に、しっかりとした取付状態を確実に維持できるようにした手摺りの取付構造を提供することにある。
【００１０】
【課題を解決するための手段】
前記目的を達成するため、本発明にあっては次のような解決手法を採択してある。すなわち、特許請求の範囲における請求項１に記載のように、
壁面に対して手摺りを着脱自在に取付けるための手摺りの取付構造であって、
壁面に固定され、手摺りの取付ブラケット部が抜き差しされる取付空間を画成する固定側部材と、
前記固定側部材に揺動可能に保持され、揺動に応じて、前記取付空間の開口隙間を小さくするクランプ位置と該取付空間の開口隙間を大きくするアンクランプ位置とを選択的にとり得るようにされたクランプレバーと、
を備え、
前記クランプレバーが前記アンクランプ位置にあるときは、開口隙間が大きくされた前記該取付空間に対して前記取付ブラケット部の挿入、引き抜きが可能とされ、
前記取付空間に前記取付ブラケット部を挿入した状態で前記クランプレバーを前記クランプ位置にすることにより、該取付空間の開口隙間が小さくされて、該取付ブラケット部が該クランプレバーによってクランプされて該取付空間からの抜けが規制される、
ようにしてある。これにより、クランプレバーをアンクランプ位置とした状態で、手摺りの取付ブラケット部を取付空間へ挿入される。この後、クランプレバーをクランプ位置とすることにより、クランプレバーのクランプ力によって、取付ブラケット部がしっかりと固定側部材に固定された状態が維持される。クランプレバーを再びアンクランプ位置にすることにより、取付ブラケット部は容易に取付空間から抜き出すことができる。
【００１１】
上記解決手法を前提とした好ましい態様は、特許請求の範囲における請求項２以下に記載のとおりである。すなわち、
前記固定側部材は、壁面に沿う基板部を有し、
前記固定側部材には、前記基板部に対向すると共に該基板部と協働して前記取付空間を画成する中間部材が保持され、
前記クランプレバーは、前記中間部材を挟んで前記基板部とは反対側に位置されて、前記クランプ位置にあるときは前記中間部材を前記基板部に向けて押圧変位させるように設定されている、
ようにすることができる（請求項２対応）。この場合、中間部材を別途設けることによって、取付ブラケット部を挟持するのに適したより適切な構造とすることができる。
【００１２】
前記中間部材が、板ばね部材とされて、その基端部が前記固定側部材に固定されると共に先端部が自由端部とされて、該板ばね部材の自由端部側から前記取付ブラケット部が抜き差しされるようにされており、
前記板ばね部材は、前記基端部側から自由端部側に向かうにつれて、前記基板部に徐々に接近するように傾斜して伸びており、
前記クランプレバーを前記クランプ位置にしたときに、該クランプレバーが前記板ばね部材の自由端部と基端部との間の位置を押圧して、該板ばね部材の自由端部が前記取付空間に挿入されている前記取付ブラケット部を前記基板部に向けて押圧するようにされている、
ようにすることができる（請求項３対応）。この場合、板ばね部材の弾性力によってがたつきなく取付ブラケット部を押圧、挟持することができる。また、板ばね部材の弾性復帰を利用して、クランプレバーをアンクランプ位置とすることにより、中間部材としての板ばね部材も自動的にアンクランプ位置に復帰することができる。
【００１３】
前記板ばね部材には、前記クランプレバーが前記クランプ位置とされたときに、前記取付ブラケット部に形成されている取付孔に挿入される係止用突起部が形成されている、
ようにすることができる（請求項４対応）。この場合、係止用突起部によって、取付ブラケット部が固定側部材から抜け出てしまうことをよりしっかりと規制することができる。
【００１４】
前記板ばね部材には、その基端部付近において、前記基板部と所定間隙を有するように位置決め用突起部が形成されており、
前記取付空間に前記取付ブラケット部を挿入した状態において、前記位置決め用突起部と前記基板部との間に該取付ブラケット部がほぼがたつきなく挿入された状態とされる、
ようにすることができる（請求項５対応）。この場合、取付ブラケット部は、板ばね部材の自由端部付近でしっかりとクランプされる他、板ばね部材の基端部付近にある位置決め用突起部によってクランプ、アンクランプ方向への動きを規制されるので、取付ブラケット部をよりがたつきなく固定側部材に取付けておくことができる。
【００１５】
前記板ばね部材が、前記固定側部材に対して、前記取付ブラケット部の前記取付空間への挿入、抜き出し方向において取付位置が調整可能とされている、ようにすることができる（請求項６対応）。この場合、クランプ、アンクランプ方向への製作時の寸法誤差や長期の使用によって生じる摩耗等に起因する寸法変化を、板ばね部材の固定側部材への取付位置を調整することによって対応して、常にしっかりとした取付け（クランプ）を得ることができる。
【００１６】
前記中間部材として、前記クランプレバーからの押圧力を受ける荷重受け部材と、該クランプレバーからの押圧力を該荷重受け部材を介して受ける板ばね部材と、該荷重受け部材と該板ばね部材との間に介在された弾性変形可能な緩衝部材とを有し、
前記荷重受け部材には、前記クランプレバーが前記クランプ位置とされたときに、前記取付ブラケット部に形成されている取付孔に挿入される係止用突起部が形成されている、
ようにすることができる（請求項７対応）。この場合、荷重受け部材の係止用突起部によって、取付ブラケット部の取付空間からの抜け規制をしっかりと行うことができる。また、緩衝部材によって、各種部品のクランプ、アンクランプ方向の寸法誤差を吸収して、取付ブラケット部を常にしっかりとクランプすることができる。勿論、クランプレバーからのクランプ力を受ける専用の荷重受け部材を設けておくことによって、摩耗防止等の上でも好ましいものとなる。
【００１７】
前記クランプレバーは、前記クランプ位置にあるときに、該クランプ位置を維持する方向の反力を前記板ばね部材から受けるように設定されている、ようにすることができる（請求項８対応）。この場合、クランプ位置にあるクランプレバーが、不用意にアンクランプ位置になってしまうことを防止する上で好ましいものとなる。
【００１８】
前記固定側部材は、壁面に固定される基板部の他に、該基板部から伸びる左右一対の側壁部を有し、
前記クランプレバーは、前記左右一対の側壁部の間に配置された状態で、該左右一対の側壁部によって揺動自在に保持されており、
前記クランプレバーは、その揺動中心付近がクランプ用の偏心カム部として形成されると共に、その揺動中心から大きく離れた位置にまで長く伸びる操作部を有し、
前記アンクランプ位置では、前記クランプレバーの前記操作部が、前記基板部に対して大きな角度をなす位置とされて前記左右一対の側壁部から大きく外方へ突出した状態とされ、
前記クランプ位置では、前記クランプレバーの前記操作部が前記基板部に対してほぼ平行に伸びる位置とされる、
ようにすることができる（請求項９対応）。この場合、クランプレバーを、左右一対の側壁部によってしっかりと固定側部材に保持させて、しっかりとしたクランプを得る上で好ましいものとなる。また、アンクランプ位置では、クランプレバーの操作部が、壁面から突出して伸びるような姿勢状態とされるので、この操作部を操作してクランプ位置にする作業が極めて容易となる。さらに、クランプ位置では、クランプレバーの長い操作部は、壁面にほぼ沿う姿勢状態とされて、手摺りを使用する際に邪魔になる等のことがない。
【００１９】
【発明の効果】
本発明によれば、手摺りの取付ブラケット部を、壁面に対して容易かつすみやかにに取付け、取外しすることができる。また、取付ブラケット部の壁面への取付けもしっかりとしたものとなる。
【００２０】
【発明の実施の形態】
図１において、１は常時固定状態にある固定壁面、２は固定壁面の途中に設けられた扉である。扉２は、閉じられているときに、その板面が固定壁面と略面一に連なる壁面を構成し、扉２の開閉に伴って動くことから可動壁面となる。
【００２１】
固定壁面１および扉２には、手摺り３が取付けられている。この手摺り３は、固定壁面１に対して常時固定されている固定手摺り３Ａと、扉２を跨いで配設されて、扉２を開くときにあらかじめ取外される可動手摺り３Ｂとから構成されている。可動手摺り３Ｂは、扉２の幅よりも長くされていて、扉２付近にある固定壁面１に対して左右２カ所でもって取付けられている。図１は、扉２が閉じられている状態であり、このときは、固定手摺り３Ａと可動手摺り３Ｂとが一直線とされて、実質的に連続した１本の手摺りを構成する。また、扉２を開くときは、図２に示すように、可動手摺り３Ｂがあらかじめ取外された後、扉２が開かれる。扉２を閉じた後、再び可動手摺り３Ｂが取付けられる。
【００２２】
取付け、取外しが行われる可動手摺り３Ｂの壁面への取付構造について、図３図９を参照しつつ説明する。まず、固定壁面１には、平板状の取付基板１１を介して、固定側部材２０が固定される。取付基板１１は、取付孔１２を有して、この取付孔１２を固定壁面１にあらかじめ植立されたアンカボルト１３に挿通させた状態で、アンカボルト１３に螺合されたナット１４によって固定壁面１に固定される。また、取付基板１１、さらに別のねじ１５によって固定壁面１に固定されて、その回り止めが行われている。
【００２３】
固定側部材２０は、固定壁面１に沿う基板部２１と、基板部２１の左右端部から固定壁面１から離れる方向に伸びる左右一対の側壁部２２とを有する。左右一対の側壁部２２は、上下方向に伸びていて、この左右一対の側壁部２２間には、保持ピン２３が架設されている。左右一対の側壁部２２の間に配置されたクランプレバー２４が、保持ピン２３を中心として揺動自在に保持されている。このように、クランプレバー２４は、保持ピン２３を介して、左右一対の側壁部２２に保持されている。基板部２１、左右一対の側壁部２２を有する固定側部材２０は、全体的にアルミニウム合金等の軽合金によって形成されて、安価に製造するために、押し出し材を機械加工することによって形成されている。勿論、固定側部材２０を鋳造等によって形成することもできる。
【００２４】
上述したような固定側部材２０は、複数本の取付ねじ１６を利用して、取付基板１１に固定される。すなわち、取付基板１１には、複数のねじ孔１７が形成される一方、固定側部材２０の基板部２１には、上記ねじ孔１７に対応させて取付孔１８が形成されており、この取付孔１８とねじ孔１７とを整合させた状態で、取付ねじ１６をねじ孔１７にねじ込むことによって、固定側部材２０が取付基板１１に固定される。
【００２５】
基板部２１には、左右一対の側壁部２２の間において、板ばね部材２５が取付け、固定されている。この板ばね部材２５は、板状のばね鋼を曲げ加工することにより形成されて、基板部２１への取付部２５ａと、取付部２５ａの上端部より基板部２１から離れる方向に伸びる支承部２５ｂと、支承部２５ｂの先端部から上方に向けて伸びるばね部２５ｃとを有する。上記取付部２５ａは、取付部２５ａに形成された取付孔２９に挿通されるねじ２６によって基板部２１に固定されているが、前述の取付ねじ１６の一部が取付部２５ａを共締めしている。
【００２６】
上述のばね部２５ｃは、基板部２１に所定間隙をあけて対向しており、このばね部２５ｃと基板部２１との間の空間が、上方に向けて開口された取付空間Ｋとされている。つまり、取付空間Ｋは、基板部２１と左右一対の側壁部２２と板ばね部材２５とによって画成されている。また、ばね部２５ｃは、上方に向かうにつれて、徐々に基板部２１に近づくように傾斜設定されている。つまり、取付空間Ｋは、基板部２１とばね部２５ｃとの間の開口隙間が、その上端部がもっとも小さく、奥つまり下方に向かうにつれて徐々に大きくなるように設定されている。
【００２７】
板ばね部材２５の背面側、つまり基板部２１とは反対側に、前述のクランプレバー２４が位置される。このクランプレバー２４は、保持ピン２３から長く伸びる操作部２４ａと、保持ピン２３付近に形成された偏心カムとして構成されたカム部２４ｂとを有する。操作部２４ａが、固定壁面１に対して大きな角度をなして、固定側部材２０から大きく突出した位置がアンクランプ位置とされる（図６、図７参照）。操作部２４ａが、固定壁面１とほぼ平行とされて、ほぼ下方に伸びて位置がクランプ位置とされる（図４、図５、図７、図９参照）。このクランプ位置では、クランプレバー２４は、左右一対の側壁部２２（の端面）とほぼ同一面となるようにされて、クランプ位置にあるクランプレバー２４が外部から突起物として目立たないようにされている。
【００２８】
クランプレバー２４は、全体的にアルミニウム合金等の軽合金によって形成され、実施形態ではコスト等の観点から押し出し材を利用して構成してあるが、鋳造等によって形成することもできる。カム部２４ｂの強度、特に耐摩耗性を高めるために、カム部２４ｂの表面の一部が、ステンレス鋼等の硬質部材としての金属棒２７によって構成されている。この金属棒２７は、実質的にクランプレバー２４の押圧部を構成するもので、断面円形とされて、保持ピン２３と平行に配置されている。カム部２４ｂは、前述のように偏心カムを構成するもので、カム部２４ｂのうち金属棒２７の位置が、保持ピン２３からもっとも径方向に離れた位置とされる。
【００２９】
クランプレバー２４が前述したアンクランプ位置にあるときは、カム部２４ｂの金属棒２７が、ばね部２５ｃから離間しているか軽く当接している状態とされる。クランプレバー２４をクランプ位置にすると、保持ピン２３からの離間距離の大きい金属棒２７が、ばね部２５ｃを押圧して、取付空間Ｋの開口隙間を強制的に小さくする。金属棒２７によるばね部２５ｃの押圧位置は、ばね部２５ｃの自由端部よりも若干基端部寄りの位置とされる。
【００３０】
手摺り３Ａ（手摺り３Ｂも同じ）は、既知のように、患者等の使用者によって把持される細長く伸びる笠木部４０と、笠木部４０に一体的に連結された取付ブラケット部４１とを有する。取付ブラケット部４１は、平板状とされて、壁面１に安定して着座できるようにされている。この取付ブラケット部４１には、壁面１に固定するための取付孔４２が開口されている。なお、固定手摺り３Ａは、固定壁面１にあらかじめ植立されたアンカボルト１３に取付孔４２に挿通させ、アンカボルト１３にナット等を螺合させることにより、固定壁面１に常時固定されている。このように、固定手摺り３Ａと可動手摺り３Ｂの部品は共通とすることができ、手摺りの取外しが必要な場所でも、特殊な仕様の手摺りを別途用意する必要がないものとなっている。
【００３１】
前述した固定側部材２０に構成される取付空間Ｋは、上述の取付ブラケット部４１が挿入されるものである。すなわち、クランプレバー２４をアンクランプ位置にした状態で、取付ブラケット部４１が取付空間Ｋ内にその上方から挿入される。この挿入は、取付ブラケット部４１の下端面が、板ばね部材２５の支承部２５ｂに当接するまで十分深く行われる。
【００３２】
取付ブラケット部４１を取付空間Ｋに挿入した後、クランプレバー２４をクランプ位置にする。これにより、金属棒２７がばね部２５ｃを押圧することによって、ばね部２５ｃ（の自由端部）と基板部２１との間で取付ブラケット部４１が強く挟持された取付け状態とされ、取付ブラケット部４１の取付空間Ｋからの抜けが規制される。取付ブラケット部４１の厚さ寸法に多少の相違があっても、ばね部２５ｃの弾性によってこの寸法誤差が吸収されて、確実な取付け状態が常に確保される。なお、クランプレバー２４をクランプ位置としたときは、その操作部２４ａの長手方向略中間部に設けた位置決め用突起部２４ｃが、板ばね部材２５の支承部２５ｂとばね部２５ｃとの境界部に当接して、それ以上のクランプ方向への揺動が規制されるようになっている。
【００３３】
クランプ位置にあるとき、クランプレバー２４の金属棒２７は、ばね部２５ｃからの反力を受けることになる。このばね部２５ｃからの反力の方向は、クランプレバー２４をクランプ位置へと揺動させる方向の回転力を与えるようになっている（アンクランプ位置からアンクランプ位置へ向けての揺動方向）。このように、ばね部２５ｃの反力を有効に利用して、クランプレバー２４がクランプ位置を保持される。このように、クランプ位置とアンクランプ位置との間に、機構学上の思案点が存在することになり、クランプレバー２４をクランプ位置とアンクランプ位置との間で揺動させるときに、適度の節度感（クリック感）を与えることができるという利点も有することになる。また、クランプレバー２４は、アンクランプ位置において、板ばね部材２５からの反力によって、アンクランプ位置を保時するように付勢されるものとなっている。
【００３４】
前記板ばね部材２５は、例えばその取付孔２９を上下方向に伸びる長孔とすることにより、基板部２１に対する上下方向取付位置が調整可能とすることができる。すなわち、ばね部２５ｃの傾斜設定からして、板ばね部材２５を上方へ取付けるほど、クランプレバー２４によって押圧されたときの自由端部の基板部２１への変位量が大きくなる。これにより、例えば製作誤差や長期の使用による摩耗等に起因して取付ブラケット部４１の板厚寸法の変化に対応して、常にしっかりと取付ブラケット部４１をクランプすることが可能となる。勿論、取付ブラケット部４１の板厚が小さいほど板ばね部材２５を上方位置に取付けることになる（取付ブラケット部４１の板厚が大きいほど板ばね部材２５を下方位置に取付ける）。
【００３５】
図１０、図１１は、本発明の第２の実施形態を示すものであり、前記実施形態と同一構成要素には同一符号を付してその重複した説明は省略する（このことは、後述する第３実施形態以下においても同じ）。本実施形態では、前記実施形態のものから、板ばね部材２５を変形したものとなっている。すなわち、前記実施形態における板ばね部材２５に、さらに、切り起こしによって、係止用突起部２５ｄと位置決め用突起部２５ｅとを形成したものである。係止用突起部２５ｄは、クランプ位置にあるときに、取付ブラケット部４１の取付孔４２に挿入（嵌合）されるようになっている。これにより、取付ブラケット部４１は、係止用突起部２５ｄに係止されて、取付空間Ｋからの抜けがより確実に規制されることになる。
【００３６】
また、上記位置決め用突起部２５ｅは、左右一対設けられて、ばね部２５ｃの基端部（下端部）付近に位置されている。この位置決め用突起部２５ｅは、少なくともクランプ位置にあるときに、取付ブラケット部４１のうち下端部付近に当接あるいはほぼ当接する位置とされる。これにより、取付ブラケット部４１は、取付空間Ｋ内において、ばね部２５ｃの自由端部と、位置決め用突起部２５ｅとの上下方向２カ所でその板圧方向に変位しないように規制されることになり、取付ブラケット部４１をがたつきなく保持する上でより好ましいものとなる。
【００３７】
図１１、図１２は、本発明の第３の実施形態を示すものであり、前記第２の実施形態における位置決め用突起部２５ｅを、支承部２５ｂに形成したものであり、その他は第２の実施形態と同じである。
【００３８】
図１４〜図２０は、本発明のさらに第４の実施形態を示すものである。本実施形態では、クランプレバー２４のカム部２４ｂ表面を、金属棒２７に代えて、ステンレス鋼等の硬質部材からなる金属板５０で被覆、一体化してある。また、前記実施形態における板ばね部材２５に代えて、板ばね部材５１と、荷重受け部材５２と、緩衝部材５３とを設けてある。
【００３９】
固定側部材２０に相当する固定側部材６０は、基板部２１と左右一対の側壁部２２とを有する点においては前記実施形態と同じであるが、左右一対の側壁部２２の間において、基板部２１の下端部から略水平に短く伸びる支承壁部６１と、支承壁部６１および左右一対の側壁部２２に連なる保持壁部６２とを有するものとなっている。なお、本実施形態では、固定側部材６０は、取付基板を別途用いることなく、固定壁面１に直接固定するようになっている。
【００４０】
保持壁部６２は、基板部２１との間で取付空間Ｋを画成するもので、手摺りの取付ブラケット部４１は、取付空間Ｋに対して、上記支承部６２に当接する位置にまで挿入される。前記保持壁部６２には、取付ブラケット部４１の取付孔４２に対応して、貫通孔としての開口部６３が形成されている。
【００４１】
板ばね部材５１、荷重受け部材５２、緩衝部材５３は、上記開口部６３に対応して配置される。すなわち、板ばね部材５１は、全体的に薄い金属製のばね材を加工することによって形成されて、平板状かつリング状の押圧部５１ａと、押圧部５１ａの背面側（クランプレバー２４側）に位置されて略円弧状に伸びる複数の係止部５１ｂと、係止部５１ｂの各一端部と押圧部５１ａとを連結する連結部５１ｃとを有する。押圧部５１ａは、開口部６３に挿入可能な外径とされている。係止部５１ｂは、開口部６３の周縁部に係止されるように位置設定されている。
【００４２】
荷重受け部材５２は、開口部６３よりも小径な略円板状のベース部５２ａと、ベース部５２ａから固定側部材６０の基板部２１に向けて伸びる係止用突起部５２ｂとを有する。ベース部５２ａの外径は、板ばね部材５１の係止部５１ｂの内側を通過可能なように設定されている。係止用突起部５２ｂは、板ばね部材５１の押圧部５１ａの内径部分を貫通可能な外径とされている。緩衝部材５３は、押圧部５１ａとほぼ同一内外径を有するリング状とされ、硬質ゴム等の弾性部材によっって形成されている。荷重受け部材５２の係止用突起部５２ｂは、緩衝部材５３の内径部分をも貫通可能とされている。
【００４３】
前述した板ばね部材５１、荷重受け部材５２、緩衝部材５３は、次のように配置される。まず、板ばね部材５１は、その押圧部５１ａが保持壁部６２の開口部６３に位置され、かつ係止部５１ｂが、開口部６３の背面側（クランプレバー２４側）の周縁部に着座、係止される状態とされる。緩衝部材５３が、板ばね部材５１の押圧部５１ａに着座された状態で配置される。荷重受け部材５２は、その、基板部５２ａが緩衝部材５３の背面側に着座され、かつその係止用突起部５２ｂが緩衝部材５２，板ばね部材５１の内径部分を貫通した状態とされる。
【００４４】
以上のような構成において、クランプレバー２４をアンクランプ位置とした状態で（図２０参照）、取付ブラケット部４１が取付空間Ｋに挿入される。この後、クランプレバー２４をクランプ位置とする（図１５名〜図１９参照）。クランプ位置とされたクランプレバー２４によって、荷重受け部材５２が押圧される。押圧された荷重受け部材５２は、緩衝部材５２を介して、板ばね部材５１の押圧部５１ａを介して、取付ブラケット部４１を押圧して、取付ブラケット部４１のクランプが行われる。このとき、板ばね部材５１の係止部５１ｂは、開口部６３の周縁部に係止された状態である（係止部５１ｂと押圧部５１ａとが、アンクランプ位置のときよりも開口部６３に軸線方向に離れた状態となる）。
【００４５】
取付ブラケット部４１をクランプしているとき、荷重受け部材５２の係止用突起部６３ｂが、取付ブラケット部４１の取付孔４２に挿入、嵌合されて、取付ブラケット部４１の取付空間Ｋからの抜け防止がより強固に行われる。緩衝部材５２が適宜弾性変形することによって、取付ブラケット部４１等の板厚寸法誤差等が吸収される。
【００４６】
クランプレバー２４を、クランプ位置からアンクランプ位置にすると、板ばね部材５１の弾性復帰作用によって、図２０の状態に戻り、取付ブラケット部４１の取付空間Ｋからの抜き出しが可能となる。なお、クランプレバー２４が板ばね部材５１の反力を受けてクランプ位置を保持する点、およびアンクランプ位置を保持する点は、前述の実施形態と同じであり、クランプ位置とアンクランプ位置との間での揺動位置の変更のときに適度の抵抗感（クリック感）を与えられることも同じである。
【００４７】
図２１、図２２は、本発明の第５の実施形態を示すものである。本実施形態では、前述した第１の実施形態のものにおいて、固定側部材２０の側壁部２２の構造を変更したものとなっている。すなわち、側壁部２２の内面にさらに、上下方向に細長く伸びる位置決め用突条部７５を形成したものとなっている。この位置決め用突条部７５は、左右一対の側壁部２２にそれぞれ形成されて、取付空間Ｋに挿入された取付ブラケット部４１の下端部付近に当接あるいはほぼ当接するように位置設定されている。これにより、取付ブラケット部４１は、取付空間Ｋ内において、位置決め突条部７５によって固定壁面１から離れる方向に変位しないように規制されることになり、取付ブラケット部４１をがたつきなく保持する上でより好ましいものとなる。
【００４８】
以上実施形態について説明したが、固定側部材２０、６０は、固定壁面１に限らず、可動壁面を構成する扉２に固定することもできる。また、中間部材としての板ばね部材２５、５１を別途用いることなく、クランプレバー２４によって直接取付ブラケット部４１を押圧するように設定することもできる。さらに、板ばね部材２５、５１は、金属製に限らず、合成樹脂（繊維強化合成樹脂を含む）等、適宜の材質のものを用いることができる。
【００４９】
子供の悪戯などに対する考慮が必要とされる場所においては、クランプレバー２４の操作を勝手に行えないようにするために、例えば小さなロックねじを利用して、クランプレバーをクランプ位置に保持するように設定してもよい。具体的には、例えば、クランプレバーの一側面にねじ孔を開口させる一方、側壁部２２に、クランプ位置にある上記ねじ孔に整合されて該ねじ孔よりもやや大径のロック孔を開口させておき、上記ねじ孔に、ロックねじとしてのイモねじを螺合させておけばよい。イモねじをねじ孔に深く挿入した状態としておくことにより、クランプレバー２４の自由な揺動が確保される。クランプ位置において、ロック孔を通してイモねじを緩めて、イモねじをロック孔とねじ孔とに跨る状態とすることにより、クランプレバー２４がクランプ位置にロックされる。なお、ロック孔をクランプレバー２４に形成する一方、ねじ孔を側壁部２２に形成することもできる。なお、本発明の目的は、明記されたものに限らず、実質的に好ましいあるいは利点として表現されたものを提供することをも暗黙的に含むものである。
【図面の簡単な説明】
【図１】扉を有する壁面に手摺りを取付けた状態を示す斜視図。
【図２】図１の状態から、手摺りを取外して扉を開いた状態を示す斜視図。
【図３】本発明の一実施形態を示す分解斜視図・
【図４】図１の組立状態を示す斜視図。
【図５】図４を上方から見たときの図。
【図６】クランプレバーがアンクランプ位置にあって、手摺りの取付ブラケット部が取外されている状態を示す側面断面図。
【図７】図６の要部拡大断面図。
【図８】クランプレバーがクランプ位置にあって、手摺りの取付ブラケット部が取付けられている状態を示す側面断面図。
【図９】図の要部拡大断面図。
【図１０】本発明の第２の実施形態を示すもので、板ばね部材の変形例を示す斜視図。
【図１１】図１０に示す板ばね部材を用いて、手摺りの取付ブラケット部をクランプしているときの状態を示す側面断面図。
【図１２】本発明の第３の実施形態を示すもので、板ばね部材の変形例を示す斜視図。
【図１３】図１２に示す板ばね部材を用いて、手摺りの取付ブラケット部をクランプしているときの状態を示す側面断面図。
【図１４】本発明の第４の実施形態を示す分解斜視図。
【図１５】図１４の組立図。
【図１６】図１５を上方から見た図。
【図１７】第４の実施形態の側面断面図。
【図１８】クランプレバーがクランプ位置にあって、手摺りの取付ブラケット部をクランプしているときの状態を示す側面断面図。
【図１９】図１８の要部拡大断面図。
【図２０】クランプレバーがアンクランプ位置にあるときの状態を示す側面断面図。
【図２１】本発明の第５の実施形態を示すもので、固定側部材の要部斜視図。
【図２２】図２１の実施形態において、取付空間に挿入された取付ブラケット部を断面して示す一部断面平面図。
【符号の説明】
１：固定壁面
２：扉
３：手摺り
３Ａ：手摺り（固定壁面用）
３Ｂ：手摺り（扉用）
１１：取付基板
２０：固定側部材
２１：基板部
２２：側壁部
２３：保持ピン
２４：クランプレバー
２４ａ：操作部
２４ｂ：カム部
２５：板ばね部材
２５ａ：取付部
２５ｂ：支承部
２５ｃ：ばね部
２５ｄ：係止用突起部
２５ｅ：位置決め用突起部
４０：手摺りの笠木
４１：取付ブラケット部
４２：取付孔
５０：固定側部材
５１：板ばね部材
５２：荷重受け部材
５２ｂ：位置決め用突起部
５３：緩衝部材
６１：支承壁部
６２：保持壁部
６３：開口部
【図１】
2004143674.tif 000003
【図２】
2004143674.tif 000004
【図３】
2004143674.tif 000005
【図４】
2004143674.tif 000006
【図５】
2004143674.tif 000007
【図６】
2004143674.tif 000008
【図７】
2004143674.tif 000009
【図８】
2004143674.tif 000010
【図９】
2004143674.tif 000011
【図１０】
2004143674.tif 000012
【図１１】
2004143674.tif 000013
【図１２】
2004143674.tif 000014
【図１３】
2004143674.tif 000015
【図１４】
2004143674.tif 000016
【図１５】
2004143674.tif 000017
【図１６】
2004143674.tif 000018
【図１７】
2004143674.tif 000019
【図１８】
2004143674.tif 000020
【図１９】
2004143674.tif 000021
【図２０】
2004143674.tif 000022
【図２１】
2004143674.tif 000023
【図２２】
2004143674.tif 000024